(57)【要約】【課題】表示板の表面を保護する保護層が設けてあっても、金属調層が設けられた表示領域のメタリック感および半透明層が設けられた表示領域の視認性が低下することのない表示装置を提供する。【解決手段】金属調層３０が設けられた第１の表示領域Ｓ１と、半透明層３３が設けられた第２の表示領域Ｓ２とを有する表示板８と、第２の表示領域Ｓ２の背後に設けられた報知表示部用発光ダイオード１７（光源）とを備え、第１の表示領域Ｓ１上に艶有保護層３２を設け、第２の表示領域Ｓ２上に艶消保護層３５を設ける。【選択図】図３
2006234699.tif 000002
【特許請求の範囲】
【請求項１】
金属調層が設けられた第１の表示領域と、半透明層が設けられた第２の表示領域とを有する表示板と、前記第２の表示領域の背後に設けられた光源とを備え、前記第１の表示領域上に艶有保護層を設け、前記第２の表示領域上に艶消保護層を設けたことを特徴とする表示装置。
【請求項２】
前記艶有保護層と前記艶消保護層の境に対応した前記表示板の前面側に覆い部材を配置したことを特徴とする請求項１に記載の表示装置。
【請求項３】
前記第２の表示領域内に不透過性の報知表示部が設けられ、前記光源の点灯によって前記報知表示部を除いた領域が透過照明されることを特徴とする請求項１または請求項２に記載の表示装置。
【発明の詳細な説明】
【技術分野】
【０００１】
本発明は、例えば車両用の表示装置に関し、特に表面側に保護層が設けられた表示板を備えた表示装置に関するものである。
【背景技術】
【０００２】
例えば、車両用の表示装置に用いられる表示板の表面側は、通常透明な保護層で被われており、例えば下記特許文献１に記載のものが知られている。特許文献１に記載の表示板５は、基板５３の表面側に半透過層５４と遮光層５２を印刷によって設け、遮光層５２および半透過層５４の表面に艶消し剤入りの透明なオーバーコート層５６（保護層）を設けたものである。一般的に、保護層（オーバーコート層）は表示板の印刷面にキズなどが付きにくいように保護すると共に、表示板を視認した際、外光による反射を抑えて視認性を低下させないために設けるものであって、保護層内には艶消し剤（微粒子）が混入してある。
【特許文献１】特開２００３−１３９５８０号公報
【０００３】
また、表示板の全部あるいは一部が金属調に視認されるようにしたものがあるが、この様な表示板の表面側にも保護層が設けてある。図４は、この様な表示板１００の部分断面図であり、無色透明な基板１０１の表面側に不透過性の黒色を印刷することによって、例えば車両の速度を現す目盛，文字，数字などの表示部１０２を形成し、表示部１０２が形成された所定領域Ｓ１０を除いて不透過性の黒色を印刷することによって地部１０３が形成してある。また、所定領域Ｓ１０に対応した基板１０１の裏面側には金属調層１０４が印刷してある。この金属調層１０４は、透明インクの中に例えばアルミニウム粉を混入させたものであり、この様に形成することによって、所定領域Ｓ１０が金属調のシルバーで視認され、その中に黒色の表示部１０２が視認されるものである。
【０００４】
また、表示板１００には車両の作動状態あるいは異常内容などを表示する報知表示部１０５が設けてある。報知表示部１０５は、基板１０１の表面側に黒色の半透明層１０６を印刷した後、報知表示部１０５としての例えば燃料マークを除いて不透過性の黒色を印刷したものである（前述した地部１０３を形成する際の黒色印刷と同一工程で設ける）。この様に形成された報知表示部１０５（燃料マーク）は、報知表示部１０５および半透明層１０６が共に黒色系であるために報知表示部１０５（燃料マーク）が明確には認識し難いが、背後に配置されたＬＥＤ（図示せず）が点灯すると燃料マークがＬＥＤの発光色で透過照明され、車両の燃料が残り僅かとなったことを知らせるようになっている。
【０００５】
また、表示板１００の表面側全面、すなわち所定領域Ｓ１０，報知表示部１０５および地部１０３の表面側には艶消し剤（微粒子）が混入された透明な保護層１０７が設けてある。この保護層１０７は、前述した様に印刷面あるいは基板１０１面を保護すると共に、外光による反射を抑えるものである。
【発明の開示】
【発明が解決しようとする課題】
【０００６】
しかしながら、図４に記載の表示板１００においては、金属調層１０４に対応した基板１０１の表面側、すなわち所定領域Ｓ１０の表面側に保護層１０７が設けてあることによって、メタリック感が低下してしまう。これは、保護層１０７内に混入されている艶消し剤（微粒子）によって金属調層１０４内のアルミニウム粉が隠蔽されやすくなると共に、外光の一部が艶消し剤で反射される（金属調層１０４まで達し、そこで反射される光が少なくなる）ためと考えられる。
【０００７】
この点を改善するために、艶消し剤が混入されていない（あるいは、ごく僅かしか混入されていない）保護層を設ける方法が考えられる。しかし、艶消し剤無しの保護層が報知表示部１０５上に設けられた場合、半透明層１０６を透過したＬＥＤの光が拡散されにくい。つまり、艶消し剤が混入されていると透過光が艶消し剤に乱反射して報知表示部１０５（燃料マーク）がほぼ均一に透過照明されるが、艶消し剤無しの場合は透過光が拡散されにくく、不均一な透過照明となって報知表示部１０５の視認性が低下してしまう。
【０００８】
本発明はこの様な点に鑑みなされたもので、表示板の表面を保護する保護層が設けてあっても、金属調層が設けられた表示領域のメタリック感および半透明層が設けられた表示領域の視認性が低下することのない表示装置を提供することを目的とする。
【課題を解決するための手段】
【０００９】
本発明は前記目的を達成するため、金属調層が設けられた第１の表示領域と、半透明層が設けられた第２の表示領域とを有する表示板と、前記第２の表示領域の背後に設けられた光源とを備え、前記第１の表示領域上に艶有保護層を設け、前記第２の表示領域上に艶消保護層を設けたものである。
【００１０】
また、前記艶有保護層と前記艶消保護層の境に対応した前記表示板の前面側に覆い部材を配置したものである。
【００１１】
また、前記第２の表示領域内に不透過性の報知表示部が設けられ、前記光源の点灯によって前記報知表示部を除いた領域が透過照明されるものである。
【発明の効果】
【００１２】
表示板の表面を保護する保護層が設けてあっても、金属調層が設けられた表示領域のメタリック感および半透明層が設けられた表示領域の視認性が低下することのない表示装置を得ることができる。
【発明を実施するための最良の形態】
【００１３】
本発明を車両用の表示装置を実施形態として説明する。図１は表示装置の正面図であり、図２は図１に於けるＡ−Ａ断面である。図３は表示板の断面図である。
【００１４】
表示装置は、硬質な回路基板１と、この回路基板１の裏面側に回路基板１と導通状態で装着され、回路基板１を貫通して前方に延びる回動軸２を有する表示器本体３と、回動軸２の先端側に固着された指示部４を有する指針５と、指示部４の後方に配置され指示部４の指示対象となる車両の速度を現す目盛，文字，数字などの表示部６と車両の作動状態あるいは異常内容などを表示する報知表示部７（例えばニュートラル表示部７Ａ，燃料残量表示部７Ｂ，ハイビーム表示部７Ｃ）とを設けた表示板８と、表示板８と回路基板１との間に配置され表示板８が保持される保持部材９を備えている。１０は表示板８の背後に配置してある液晶表示素子で、車両の走行距離などを表示する。
【００１５】
また、回路基板１の裏面側を覆う合成樹脂製のカバー１１と、表示板８の周縁前方側に配置され表示板８の可視領域を定める開口部１２を有する例えば黒色の覆い部材１３と、表示板８や覆い部材１３などの前方側を被う無色透明な透視板１４と、回路基板１上に実装され指針５の指示部４を照明する光源としての指針用発光ダイオード１５と、表示板８の表示部６を照明する光源としての表示部用発光ダイオード１６と、報知表示部７を照明する光源としての報知表示部用発光ダイオード１７を備えている。
【００１６】
指針５は、無色透明な合成樹脂からなる指示部４の他に、指針軸１８と、遮光性の合成樹脂からなる指針キャップ１９を備えている。指示部４の裏面には白色の箔（図示せず）がホットスタンプされており、昼間など周囲が明るい時は指示部４が白色で視認される。また、夜間など周囲が暗い時に例えば白色で発光する指針用発光ダイオード１５が点灯した際も、指示部４に導かれた光が白色の箔に反射して指示部４が白色で視認されるようになっている。
【００１７】
保持部材９は、遮光性のある白色の合成樹脂からなり、回動軸２の周囲に配置された指針用発光ダイオード１５と表示部用発光ダイオード１６との間に立設した円筒部２０と、この円筒部２０の周囲に設けられ、表示部用発光ダイオード１６からの光を周囲に反射する第１の反射部２１と、表示部用発光ダイオード１６周辺から円筒部２０を取り巻くように周縁側に向かって傾斜して形成された第２の反射部２２と、表示板８の報知表示部７に対応して形成された筒壁２３と、周壁２４などを有している。報知表示部用発光ダイオード１７は、筒壁２３を設けることによって形成される灯室２５内の回路基板１上に配置される。
【００１８】
表示板８は、光透過性である無色透明な基板２６の表面側に表示部６が設けてある。この表示部６は例えば黒色（不透過性）の表示層２７を印刷することによって形成される。更に、表示部６が形成された所定領域である第１の表示領域Ｓ１を除いて例えば黒色（不透過性）の地色層２８を印刷することによって地部２９が形成してある。この地色層２８は表示部６を形成する際の表示層２７と同一工程で設ければ良い。また、第１の表示領域Ｓ１に対応した基板２６の裏面側には透過性の金属調層３０が印刷してある。この金属調層３０は、透明インクの中に例えばアルミニウム粉を混入させたものである。
【００１９】
また、金属調層３０の下側には例えば黒色の遮光層３１が設けてある。この遮光層３１は表示部６および表示部６周辺を除いた範囲に設けられている。また、金属調層３０が設けられた領域に対応している第１の表示領域Ｓ１上には透明な艶有保護層３２が印刷によって設けてある。この艶有保護層３２は、印刷（表示層２７）面や基板２６の表面にキズなどが付きにくいようにするものである。
【００２０】
また、表示板８には前述した様に、ニュートラル表示部７Ａ，燃料残量表示部７Ｂ，ハイビーム表示部７Ｃなどの報知表示部７が設けられている。燃料残量表示部７Ｂは、基板２６の表面側に例えば黒色の半透明層３３を印刷した後、所定領域である第２の表示領域Ｓ２を除いて例えば黒色（不透過性）の地色層２８Ａを印刷することによって地部２９Ａを形成し、第２の表示領域Ｓ２内に燃料マーク３４を黒色で印刷したものである。この地色層２８Ａおよび燃料マーク３４は、第１の表示領域Ｓ１を形成する際の地色層２８および表示層２７と同一工程で設ければ良い。ニュートラル表示部７Ａとハイビーム表示部７Ｃも同様である。なお、図１に於いては、斜線部が覆い部材１３の開口部１２より視認される地部２９Ａである。
【００２１】
また、半透明層３３が設けられた領域に対応している第２の表示領域Ｓ２上および地部２９Ａ上には艶消し剤（微粒子）が混入された透明な艶消保護層３５が印刷によって設けてある。この艶消保護層３５は、印刷面を保護すると共に、外光による反射を抑えるものである。なお、本実施形態に於いては地部２９上にも艶消保護層３５が設けてある。図１に於いて、破線で示したＬは艶有保護層３２と艶消保護層３５との境を示し、破線内が艶有保護層３２を設けた領域である。そして、境Ｌに対応した表示板８の前面側には覆い部材１３が配置されている。すなわち、境Ｌは覆い部材１３によって覆われている。
【００２２】
また、第２の表示領域Ｓ２を除いた箇所に対応した基板２６の裏面側には、黒色の遮光層３１Ａが印刷してある。この遮光層３１Ａは、隣接する報知表示部７（ニュートラル表示部７Ａあるいはハイビーム表示部７Ｃ）を照明する報知表示部用発光ダイオード１７の光が基板２６内を伝って例えば燃料残量表示部７Ｂが疑似点灯するのを防ぐものであり、遮光層３１と同一工程で必要に応じて設ければ良い。
【００２３】
この様に構成された表示装置の表示板８は、昼間など周囲が明るい時は第１の表示領域Ｓ１が金属調のシルバーで視認され、その中に黒色の表示部６が視認される。そして、夜間など周囲が暗い時に例えば白色で発光する表示部用発光ダイオード１６が点灯すると、表示部用発光ダイオード１６からの光は直接に、あるいは保持部材９に設けられた第１の反射部２１に反射した後、第２の反射部２２で反射してそれぞれ表示板８の裏面側を照射する。この光によって表示部６の周囲が白っぽく透過照明され、表示部６が黒色で認識可能となる。
【００２４】
また、燃料残量表示部７Ｂは燃料マーク３４および半透明層３３が黒色であるために明確には認識し難いが、燃料残量表示部７Ｂ（第２の表示領域Ｓ２）の背後に設けられ、例えば赤色で発光する報知表示部用発光ダイオード１７が点灯すると、第２の表示領域Ｓ２が赤色で透過照明され、その中に黒色の燃料マーク３４が浮かび上がり、車両の燃料が残り僅かとなったことを知らせるようになっている。ニュートラル表示部７Ａとハイビーム表示部７Ｃも同様である。
【００２５】
この様に、金属調層３０が設けられた第１の表示領域Ｓ１と、半透明層３３が設けられた第２の表示領域Ｓ２とを有する表示板８と、第２の表示領域Ｓ２の背後に設けられた報知表示部用発光ダイオード１７とを備え、第１の表示領域Ｓ１上に艶有保護層３２を設け、第２の表示領域Ｓ２上に艶消保護層３５を設けたことにより、金属調層３０上が艶有りでキラリ感がでてメタリック感が失われない。また、艶消保護層３５が設けられた第２の表示領域Ｓ２は、艶消保護層３５内に混入されている艶消し剤によって報知表示部用発光ダイオード１７からの光が拡散されるため、報知表示部７の視認性が低下することがない。
【００２６】
また、艶有保護層３２と艶消保護層３５の境Ｌに対応した表示板８の前面側に覆い部材１３を配置したことにより、艶有保護層３２と艶消保護層３５の境Ｌが隠れるため、見栄えが低下するようなことがない。また、第２の表示領域Ｓ２内に不透過性の報知表示部７を設け、報知表示部用発光ダイオード１７の点灯によって報知表示部７を除いた領域が透過照明されるようにしたため、透過照明される領域が広くても艶消し剤によって報知表示部用発光ダイオード１７からの光が拡散されて全領域がほぼ均一な透過照明となる。
【００２７】
なお、金属調層３０を印刷によって形成したが、薄膜を転写することによって形成しても良く、色調も任意であり、不透過性でも良い。また、艶有保護層３２と艶消保護層３５を除く他の印刷層は基板２６の表面側でも裏面側でも良い。また、艶有保護層３２と艶消保護層３５の境Ｌを覆い部材１３で覆ったが、外観に悪影響を及ぼさなければ境Ｌ上に覆い部材１３を配置しなくとも良い。
【図面の簡単な説明】
【００２８】
【図１】本発明の実施形態を示す表示装置の正面図。
【図２】同表示装置の断面図（図１に於けるＡ−Ａ断面）。
【図３】同表示装置に用いられる表示板の部分断面図。
【図４】従来の表示装置に用いられる表示板の部分断面図。
【符号の説明】
【００２９】
６  表示部
７  報知表示部
７Ａ  ニュートラル表示部（報知表示部）
７Ｂ  燃料残量表示部（報知表示部）
７Ｃ  ハイビーム表示部（報知表示部）
８  表示板
１３  覆い部材
１７  報知表示部用発光ダイオード（光源）
Ｓ１  第１の表示領域
Ｓ２  第２の表示領域
３０  金属調層
３２  艶有保護層
３３  半透明層
３５  艶消保護層
Ｌ  境
【図１】
2006234699.tif 000003
【図２】
2006234699.tif 000004
【図３】
2006234699.tif 000005
【図４】
2006234699.tif 000006